(57)【要約】      （修正有）【課題】歩行あるいは、足踏したときの足部の上下運動を熱に変換し、暖気を靴内に供給するシューズ保温構造を提供する。【解決手段】軸方向に圧縮できるキャップ１とベアリング２で構成されたシューズの保温構造である。キャップとベアリングに気体交換できる気孔１１を設け、キャップに軸方向に駆動軸１２、ベアリングに駆動軸を昇降させる中空状の収納軸２３を設け、該収納軸に駆動軸を元に戻すスプリング２４を設置する。ベアリングとキャップの間は、駆動軸を暖気装置３に貫通することで、駆動軸の昇降により、暖気装置を動かし、摩擦を行うことで熱を発生させ、それを気孔より放出することで、シューズ内の温度を保つ。【選択図】図1
0003149599.tif 000002
【実用新案登録請求の範囲】
【請求項１】
軸方向に圧縮できるキャップとベアリングを含み、
該キャップとベアリングの如何なる一方に少なくとも一つの気孔を設け、キャップに軸方向に駆動軸を設け、
該ベアリングに駆動軸が昇降するための中空状の収納軸を設け、該収納軸に駆動軸を元に戻すスプリングを設け、
該ベアリングと該キャップの間は、駆動軸の軸方向に暖気装置を貫通設置し、該暖気装置はベアリングに固定する作用リングを含み、該作用リングの両側に駆動軸の昇降により、相対的に本体が回転摩擦する上下回転部品を貼合し、該上下回転部品と作用リングが摩擦を行うことで熱を発生させ、それを気孔より放出することで、シューズ内の温度を保つことを特徴とするシューズの保温構造。
【請求項２】
前記駆動軸の外周に片方向のねじ山を設け、該上下回転部品は表面に凸設した螺旋回転部の内部は、片方向のねじ山と噛合し、
該作用リングの外縁より複数の定置ほぞを延伸し、該ベアリングの内壁面にそれに対応する溝を設けることを特徴とする請求項1記載のシューズの保温構造。
【請求項３】
前記暖気装置はキャップと上回転部品との間に抵触リングを設け、該抵触リングは上回転部品に定置に力を施し、
該上下回転部品と作用リングとの貼合面にそれぞれリング状の内側リングと抵触するリング状の定置段を凸設することを特徴とする請求項1記載のシューズの保温構造。
【請求項４】
前記ベアリングとキャップを組み立てた後はスポンジで覆い、
前記作用リングは金属の材質で作られることを特徴とする請求項1記載のシューズの保温構造。
【請求項５】
キャップとボックス状のベアリングを含み、
該キャップとベアリングの如何なる一方に少なくとも一つの気孔を設け、該キャップの軸方向に複数の支柱及び一つの駆動軸を設け、該ベアリングに支柱を挿入する定置穴及び軸孔を設け、該定置孔で支柱を固設し、弾性のあるスプリングにより、キャップはベアリングに相対して圧縮することができ、
該ベアリングの軸孔内に暖気装置を設置し、該暖気装置は内側に歯車、中空状のプーリーを具有し、該プーリー内部は歯車と互いに噛合する駆動歯車を設け、該駆動歯車は駆動軸を軸方向に貫通設置し、駆動軸の昇降でプーリーが回転し、該駆動軸と駆動歯車の間に駆動軸を元の位置に戻すスプリングを設け、
ベアリングに調整歯車を設け、該調整歯車はプーリーと接触し、摩擦を行うことで熱を発生する摩擦部品を接続することを特徴とするシューズの保温構造。
【請求項６】
前記駆動軸の外周に片方向のねじ山を設け、駆動歯車の表面に内側が片方向ねじ山と噛合する螺旋回転部を凸設し、
該プーリーの外周に一定の厚みの肋縁を形成し、該肋縁は摩擦部品と接触することを特徴とする請求項5記載のシューズの保温構造。
【請求項７】
前記調整歯車の軸にアームを接続し、更に摩擦部品を接続し、該アームは摩擦部品とプーリーの接触度合いを変え、
前記アームの調整歯車の軸端に、調整歯車がアームの傾斜角度を変える溝を設け、
前記キャップの調整歯車と対応する所在位置に軸方向に少なくとも一つの調整孔を開け、ベアリング7は調整穴に対応して孔を開け、部品を挿入し、調整歯車を回転させることで、アームの傾斜角度を調整することを特徴とする請求項5記載のシューズの保温構造。
【請求項８】
前記ベアリングとキャップを組み立てた後はスポンジで覆い、
前記摩擦部品は金属の材質で作られることを特徴とする請求項5記載のシューズの保温構造。
【考案の詳細な説明】
【技術分野】
【０００１】
本考案はシューズ保温構造に関し、特に回転できるベアリングを使って摩擦で熱を発生させることで、シューズ内部の温度を保つ構造である。
【背景技術】
【０００２】
手と足はいずれも人体で重要なパーツであり、足は更に体重を支え、バランスを保ったり、歩いたりするなど、移動の役割も担っている。移動することにより、足に生じる疲労と、長時間体重を支えることで受ける負担を減少するために、快適で丈夫な靴を選ぶのは大事である。末梢血管の循環が悪く、足が冷えやすい人と年配の方に、登山を好む方や寒冷地帯に住む人々にとって、靴は快適で丈夫のほか、蓄熱保温の機能を備えることで、足部の血液循環不良の問題を改善し、シューズ内の温度を維持する。この目的に達するため、業者は中華民国特許番号M327181「保温シューズ」を発明した。シューズ内に第一コイルを設置し、それに加熱器を接続する構造である。該第一コイルは無線周波数発射機の発射信号を感知して電力を発生することで、加熱器に必要な電力を提供する。靴内部に充電バッテリーを設置し、発生した電力を蓄積するため、靴が無線周波数発射機から離した後でも、加熱器が作動するのに十分な電力を与えることができ、該シューズを履く人の足部に適切な保温効果を提供する。
【０００３】
このような保温シューズは電力を通じて加熱器に熱を発生させ、シューズに保温効果をもたらす。しかしコイルや加熱器、無線周波数発射機、充電電池など、多くの部品及び複雑な回路を組み合わせて初めて機能を発揮する構造体は、複雑である上、充電電池の蓄電量は使用回数に従って次第に減少していき、加熱器の加熱効果も機体の老化により弱くなる。よって、該保温シューズは加熱器の電気消耗量が大きいために次第にバッテリー不足によって保温効果が悪くなり、普通の靴と変わらなくなっていく。
【０００４】
また、コイルと無線周波数発射器との間に、感知距離が取られているため、靴を履いたときに、充電が必要な場合、ある範囲内での活動を強いられる。自由に移動したいのであれば、別の靴を履かなければならない。前述の蓄電量が不足し、加熱機能が弱まる状況が発生した場合、保温シューズの充電回数も毎回の充電時間が増えていくため、有効に靴本体の保温効果を十分に利用できないだけでなく、該当設計のために使用が不便となる状況を鑑みて、更なる改善が必要であった。
【先行技術文献】
【特許文献】
【０００５】
登録実用新案第３１０９４７６号公報
【考案の概要】
【考案が解決しようとする課題】
【０００６】
本考案は複雑且つ効果が不安定、使用に制限が成される保温構造を改善したシューズの保温構造を提供することを主な目的とする。
【課題を解決するための手段】
【０００７】
前記課題を解決するために、本考案はキャップとベアリングから構成されている。互いに嵌合し、軸方向に圧縮できるキャップ1とベアリング2を含み、該キャップ1とベアリング2のどちらか一方に少なくとも一つの気孔11、21を設け、該キャップ1とベアリング2の間に軸方向の駆動軸12を設け、該駆動軸12の外周に片方向のねじ山121を設ける。ベアリング2に駆動軸12が昇降するための中空の収納軸23を設け、該収納軸23の内側に駆動軸12が元の位置に戻るスプリング24を設ける。
【０００８】
該ベアリング2とキャップとの間は、駆動軸12で暖気装置3を貫通設置する。該暖気装置3に含まれるのは、収納軸の内壁に固定した金属材質で作られた作用リング31と、該作用リング31のキャップ1側に上回転部品32、ベアリング側に下回転部品33を貼合し、該上下回転部品32、33は表面に凸設した螺旋回転部321、331の内部は、片方向のねじ山121と噛合する。
【０００９】
該ベアリング2とキャップ1を組み合わせた後、スポンジ4で覆ってからシューズの中敷き5の下に設置する。ユーザーが歩行或いは足踏みなどでかかとが反復して着地するとき、かかとが着地する圧力とスプリングの弾力により、キャップ1がベアリング2に向かって、軸方向の圧縮及び弛張を行う。該駆動軸の昇降により、上下回転部品が作用リングと相対して正方向及び反対方向に回転する。上下回転部品と作用リングの摩擦により熱が発生し、その熱を気孔より放出することで、シューズ内の温度を保つ。
【００１０】
本考案の第二実施例はキャップ6とボックス状のベアリング7を含み、該キャップ6の軸方向に複数の支柱61及び駆動軸62を設け、該駆動軸62の外周に片方向ねじ山621を設ける。該ベアリング7の頂上に支柱61を挿入する四つの定置孔71及び、駆動軸62を挿入する軸孔72を設けるほか、気体交換のための気孔74を開ける。該定置穴71に支柱61を固定し、弾性のあるスプリング75を具有することで、キャップ6はベアリング7と相対して圧縮することができる。
【００１１】
該ベアリング7は軸孔72の内部に暖気装置8を設置する。該暖気装置8は内側に歯車811、中空状のプーリー81を具有し、内部は歯車811と互いに噛合する駆動歯車82を設ける。駆動歯車82の表面に内側が片方向ねじ山621と噛合する螺旋回転部821を凸設し、該駆動歯車82は駆動軸62を軸方向に貫通設置し、駆動軸62は駆動歯車82の内部で昇降することができる。駆動軸62と駆動歯車82の間に駆動軸62を元の位置に戻すスプリング83を設ける。更にベアリング7に調整歯車84を設け、該調整歯車84の軸にアーム841を接続し、更に金属材料で作られた摩擦部品842を接続し、該摩擦部品842はプーリー81の肋縁812と接触する。キャップ6の調整歯車84と対応する所在位置に軸方向に少なくとも一つの調整孔63を開け、ベアリング7は調整穴63に対応して孔76を開ける。部品9を挿入し、調整歯車84の回転を調整することで、アーム841の傾斜角度をも調整し、更に摩擦部品842とプーリー81の接触度合いを変える。
【００１２】
本考案を組み合わせた後、スポンジ4で覆ってから靴の中敷5の下に設置する。ユーザーが同じく歩行するとき、或いはかかとが着地する圧力と、スプリングの弾力により、ベアリングの軸方向の圧縮と弛張を行う。駆動軸の昇降により、駆動歯車とプーリー81が同時に正方向反対方向に回転する。プーリー81と摩擦部品が摩擦を起こして熱を発生し、気孔より放出することで、シューズ内の温度を保つ。    
【００１３】
本考案の特徴は、歩行或いは足踏みするなど、足部の上下運動の仕事率を本考案の動力に転換することである。駆動部品の昇降により暖気装置を作動することで、回転する方法で摩擦を起こして熱を発生させ、発生した熱気をシューズ内部に充満し、保温の効果に達する。また頻繁に行う足部の運動を介し、血液循環を良くする。
【考案の効果】
【００１４】
本考案は歩行或いは足踏みしたときの足部の上下運動の仕事率を熱発生の動力に転換し、自給自足の方法でシューズに熱を発生させ、保温効果のある設計により、足部に長時間有効的な保温効果をもたらし、頻繁に行う足部の運動により、スムーズな血液循環促進を促す。
【図面の簡単な説明】
【００１５】
【図１】本考案のシューズ保温構造の立体分解図である。
【図２】本考案の組み立て完成後の外観略図である。
【図３】本考案を実施する際のシューズ内の状況略図である。
【図４】本考案の受力状態略図である。
【図５】本考案の受力状態略図である。
【図６】本考案の動作状態略図である。
【図７】本考案の動作状態略図である。
【図８】本考案の第二実施例の立体分解図である。
【図９】本考案の第二実施例の動作状態略図である。
【図１０】本考案の第二実施例の動作状態略図である。
【考案を実施するための形態】
【実施例】
【００１６】
図1に示すのは、本考案の第一実施例である。互いに嵌合し、軸方向に圧縮できるキャップ1とベアリング2を含み、該キャップ1とベアリング2はそれぞれ気孔11、21を設け、該キャップ1とベアリング2の間に軸方向の駆動軸12を設け、該駆動軸12の外周に片方向のねじ山121を設ける。ベアリング2の内壁に複数の溝22を設け、底部より上向き軸方向に、駆動軸12が昇降するための中空の収納軸23を設け、該収納軸23の内側を囲むように凹状の縁231を形成し、また、駆動軸12が元の位置に戻るスプリング24を設ける。
【００１７】
該ベアリング2とキャップとの間は、駆動軸12に暖気装置3を貫通設置する。該暖気装置3に含まれるのは、金属材質で作られた作用リング31と、作用リング31の外側周辺に、溝22に対応した複数の定置ほぞ311を延伸する。該作用リング31のキャップ1側に上回転部品32、ベアリング側に下回転部品33を貼合し、該暖気装置3はキャップ1と上回転部品32の間に抵触リング34を設け、該抵触リング34は上回転部品32の片側に対応して、L字型に延伸した縁341を具有することで、抵触リング34は上回転部品32に対し、定置に力を施すことができる。該上下回転部品32、33は表面に凸設した螺旋回転部321、331の内部は、片方向のねじ山121と噛合し、各螺旋回転部321、331の開口部に直径のやや短い凸頚3211、3311を延伸する。該上回転部品32と凸頚3211は抵触リング34の縁341に設置し、下回転部品33の凸頚3311は収納軸23の縁231に設置する。該上下回転部品32、33と作用リング31との貼合面にそれぞれリング状の定置段322、332を凸設し、該定置段322、332は作用リング31の内側リングと接触する。
【００１８】
図2から図7に示すように、該ベアリング2とキャップ1を組み合わせた後、スポンジ4で覆ってからシューズの中敷き5の下に設置する。ユーザーが歩行する間、かかとが着地すると、本考案はその着地する圧力により、キャップ1がベアリング2に向かって、軸方向の圧縮をする。該キャップ1の駆動軸12は勢いで収納軸23の底辺まで降り、外周の片方向螺旋121の駆動で相互に噛合し、上下回転部品32、33は作用リング31と相対して回転する。かかとが上向きに上がると、該スプリング24は弾力で駆動軸12を元の位置に戻す。一方駆動軸12は反対に上下回転部品32、33を回転させることで、キャップ1がベアリング2から離れる。このように足部の上下動作を介し、キャップ1が重複して圧縮し、及び駆動軸12の多数に渡る昇降回転により、上下回転部品32、33と作用リング31の貼合表面が正方向反対方向の密集した摩擦により熱が発生し、キャップ1とベアリング2の気孔11、21より発散して靴の内部空間に放出することで、熱保温効果に達する。ユーザーは足部が冷える或いは血液循環が良くないと感じた場合も、その場で足踏みをするだけでも、足部の血液循環を促すだけでなく、足踏みの仕事率が転換する動力により、本考案が前述の効果を発揮することができる。
【００１９】
図8〜図10に示すのは、本考案の第二実施例である。当該効果は第一実施例と同じであるため、ここで再度言及せず、構造および動作方法のみ説明する。
【００２０】
第二実施例はキャップ6とボックス状のベアリング7を含み、該キャップ6の軸方向に4つの支柱61及び駆動軸62を設け、該駆動軸62の外周に片方向ねじ山621を設ける。該ベアリング7の頂上に支柱61を挿入する4つの定置孔71及び、駆動軸62を挿入する軸孔72を設ける。また、サイド側の壁面に横穴73と、気体交換のための気孔74を開け、当該定置穴71に支柱61を固定し、弾性のあるスプリング75を具有することで、キャップ6はベアリング7と相対して圧縮することができる。
【００２１】
該ベアリング7は軸孔72の内部に暖気装置8を設置する。該暖気装置8は内側に歯車811、中空状のプーリー81を具有し、該プーリー81の外周に一定の厚みの肋縁812を形成し、内部は歯車811と互いに噛合する駆動歯車82を設ける。駆動歯車82の表面に内側が片方向ねじ山621と噛合する螺旋回転部821を凸設し、該駆動歯車82は駆動軸62を軸方向に貫通設置し、駆動軸62は駆動歯車82の内部で昇降することができる。駆動軸62と駆動歯車82の間に駆動軸62を元の位置に戻すスプリング83を設ける。ベアリング7の横穴73に調整歯車84を横向きに設置する。調整歯車84の軸にアーム841を接続し、更に金属材料で作られた摩擦部品842を接続し、該摩擦部品842はプーリー81の肋縁812と接触する。アーム841の調整歯車84の軸端に、調整歯車がアーム841の傾斜角度を変える溝8411を設ける。キャップ6の調整歯車84と対応する所在位置に軸方向に二つの調整孔63を開け、ベアリング7は調整穴63に対応して二つの孔76を開ける。部品9を挿入し、調整歯車84の回転を調整することで、アーム841の傾斜角度をも調整し、更に摩擦部品842とプーリー81の接触度合いを変える。
【００２２】
キャップ6とベアリング7を組み合わせた後、スポンジ4で覆ってから靴の中敷5の下に設置する。ユーザーが歩行するとき、或いはかかとが着地すると、キャップ6はベアリング7に向かって、軸方向の圧縮をする。該キャップ6の駆動軸62は勢いで駆動歯車82の底辺まで降り、外周の片方向螺旋621により、駆動歯車82及びプーリー81が同時に回転を始める。プーリー81が回転する際、該肋縁812は接触する摩擦部品842と摩擦する。かかとを上げると、該スプリング83とスプリング75は弾力で駆動軸62を元の位置に戻す。駆動軸62は駆動歯車82及びプーリー81と共に反対方向に回転することで、キャップ6がベアリング7から離れる。このように足部の上下動作を介し、キャップ6が重複して圧縮及び駆動軸62を多数に渡る昇降回転により、該肋縁812と摩擦部品842が接触する表面は、正方向反対方向の密集した摩擦により熱を発生し、それをベアリング7の気孔74より靴内部に放出し、熱発生保温の効果に達する。アーム841の傾斜角度を変えることで、両者の接触面積を調整し、熱発生の効率を変えることができる。
【符号の説明】
【００２３】
1 キャップ
11 気孔
12 駆動軸
121 片方向ねじ山
2 ベアリング
21 気孔
22 溝
23 収納軸
231 縁
24 スプリング
3 暖気装置
31 作用リング
311 定置ほぞ
32 上回転部品
321 螺旋回転部
3211 凸頚
322 定置段
33 下回転部品
331 螺旋回転部
3311 凸頚
332 定置段
34 抵触リング
341 縁
4 スポンジ
5 中敷
6 キャップ
61 支柱
62 駆動軸
621  片方向ねじ山
63 調整孔
7 ベアリング
71 定置孔
72 軸孔
73 横穴
74 気孔
75 スプリング
76 孔
8 暖気装置
81 プーリー
811 歯車
812 肋縁
82 駆動歯車
821 螺旋回転部
83 スプリング
84 調整歯車
841 アーム
842 摩擦部品
8411 溝
9  部品
【図１】
0003149599.tif 000003
【図２】
0003149599.tif 000004
【図３】
0003149599.tif 000005
【図４】
0003149599.tif 000006
【図５】
0003149599.tif 000007
【図６】
0003149599.tif 000008
【図７】
0003149599.tif 000009
【図８】
0003149599.tif 000010
【図９】
0003149599.tif 000011
【図１０】
0003149599.tif 000012